(57)【特許請求の範囲】
【請求項１】
スーツを吊り収納するための内カバーと、携行の際、該内カバーを保護するための外カバーとからなるスーツ袋セットであって、
前記内カバーは、スーツをハンガーに吊るされた状態で包み覆い得る大きさの、透明ポリエチレンからなるシートからなる袋状物であって、その一端側に、該ハンガーのフック部を通すことができる開口部を有するとともに、スーツの出し入れのための取出し口部を備え、該取出し口部は閉じ手段としてスナップ釦又はファスナを備えてなり、
そして、前記外カバーは、その上に重ねられたスーツ収納状態の内カバーを外カバーの外周縁より内側に実質収容し得る大きさの、ポリプロピレン不織布からなる一枚シート状物であって、その一端側に、前記ハンガーのフック部を通すことができる開口部を有するとともに、外カバーをその上に重ねられたスーツ収納状態の内カバーとともに二つ折りにした形態を保持するための固定手段を備え、該固定手段は、該外カバーの一端側端部と他端側端部とを接続可能なベルトであって開口部とスナップ釦とを有するものであり、また二つ折りにした外カバーの重なり合う外周縁同士を閉じるためのファスナを外カバーの外周縁に沿って取り付けてなり、
該スーツ袋セットは、スーツ販売店においてスーツを内カバーに収納した状態で陳列でき、スーツ販売店からの持ち帰りの際、そのまま外カバーで包み覆い、その後外カバーを取り外して内カバーをスーツ収納袋として使用することができることを特徴とする、
スーツ袋セット。
【発明の詳細な説明】
【技術分野】
【０００１】
本発明は、スーツを収納し、そして携行することができるスーツ袋セットに関する。
【背景技術】
【０００２】
スーツをハンガーにかけたまま携行することができるスーツ収納袋は従来より利用されている。この種のスーツ収納袋は、例えば特許文献１に記載される図１１に示すように、小判型の二枚重ねの生地３１ａ，３１ｂからなり、それらの周縁は糸３２で縫合され、また表生地３１ａは二つに分かれ、スーツを出し入れ可能とし、その合わせ部はファスナ等で開閉可能となっている。また、袋の両端側にハンガーのフック部を通す挿通口３３，３３が設けられ、さらに一端側には覆いカバー３４が取り付けられている。而して、スーツをハンガーにかけ、それを袋内に収納し、二つ折りにするとともに、ハンガーのフック部を袋両側の挿通口３３，３３に通した状態とすることにより、スーツをハンガーにかけたまま携行することが可能となる。
【特許文献１】特開２００１−６３７８５号公報
【発明の開示】
【発明が解決しようとする課題】
【０００３】
かかるスーツ収納袋は、スーツの購入後、スーツ販売店からスーツを収納して持ち帰るとき、屋外において塵又は埃、或いは異物などが付着し汚れてしまう場合があり、またそれらの付着のおそれがあるため、持ち帰りの間に汚れてしまうものと認識されることが多い。そのため、スーツ購入者の多くは帰宅後、スーツ収納袋をそのまま洋服ダンスに収納することはせず、収納袋からスーツを一旦取り出し、場合により他の収納袋に収納し直してから洋服ダンスに収納するという作業を行っている。さらに、スーツを取り出した後の収納袋は、汚れていなくともそのまま廃棄されてしまうことが多い。従来のスーツ収納袋は本来、購入したスーツを家に持ち帰った後も、スーツ収納用として利用されるべく製品化されているにもかかわらず、多くは帰宅後即、使い捨てとなっており、経済的でなく、省資源に反する。
そこで、本発明は、スーツ販売店からの持ち帰りの間にたとえ汚染のおそれがあったとしても、そのような汚染の有無を心配することなく、持ち帰り後も、スーツ収納袋として使用することができ、且つ経済的であるスーツ袋セットを提供することを課題とする。
【課題を解決するための手段】
【０００４】
本発明は、この課題を解決するべくなされたものであって、
スーツを吊り収納するための内カバーと、携行の際、該内カバーを保護するための外カバーとからなるスーツ袋セットであって、
前記内カバーは、スーツをハンガーに吊るされた状態で包み覆い得る大きさの、少なくとも表側の一部が透明な材料からなる袋状物であって、その一端側に、該ハンガーのフック部を通すことができる開口部を有するとともに、スーツの出し入れのための取出し口部を備え、
そして、前記外カバーは、その上に重ねられたスーツ収納状態の内カバーを外カバーの外周縁より内側に実質収容し得る大きさの、不透明又は半透明の材料からなる一枚シート状物であって、その一端側に、前記ハンガーのフック部を通すことができる開口部を有するとともに、外カバーをその上に重ねられたスーツ収納状態の内カバーとともに二つ折りにした形態を保持するための固定手段を備えてなる、スーツ袋セットに関する。
本発明の具体的な一態様は、前述の取出し口部が閉じ手段を備えている、スーツ袋セットに関する。
このうち好ましい態様は、前述の閉じ手段がスナップ釦又はファスナである、スーツ袋
セットに関する。
また本発明の具体的な態様は、前述の固定手段が、外カバーの一端側端部と他端側端部とを接続可能なスナップ釦付ベルトである、スーツ袋セットに関する。
また別の好ましい態様は、前述の固定手段が、外カバーの他端側に形成された、前記ハンガーのフック部を通すことができる第２の開口部である、スーツ袋セットに関する。
【発明の効果】
【０００５】
本発明のスーツ袋セットは、スーツ販売店からの持ち帰りの間にたとえ汚染のおそれがあったとしても、そのような汚染の有無を心配する必要がなく、持ち帰り後も、外カバーを取り外して、内カバーはスーツ収納袋として使用することができ、且つ経済的である。
【発明を実施するための最良の形態】
【０００６】
本発明のスーツ袋セットは内カバーと外カバーとに分かれており、内カバーは袋状物となっていて内側にスーツを収納するものであり、そして、外カバーは一枚シート状物となっていてスーツ収納状態の内カバーを収容し、携行の間内カバーを保護するものである。スーツ販売店においては、スーツを内カバーに収納した状態で陳列することができ、販売者は、その状態で陳列されたスーツを外カバーで包み覆うという簡単な作業で購入者に引き渡すことができる。購入者はスーツを持ち帰り後、外カバーを取り外し、内カバーにスーツを収納した状態でタンス等に収容することができ、また内カバーは繰り返して使用することももちろんできる。取り外した外カバーは、再使用してもよいし、又はたとえ廃棄するにしても、二枚重ねの構成である従来のスーツ収納袋とは異なって一枚シート状物から構成されるものであるため、資源の節約という面で有利である。
内カバーを構成する袋状物は、スーツをハンガーに吊るした状態で包み覆い得る大きさを有する構成、例えば、スーツの寸法形状よりもやや大きめの寸法形状を有する２枚のシート同士を重ね合わせ、これらシートの外周縁同士を縫合した構成であってよい。袋状物は、完全な袋状の他、一部が開いた構造のものであっても構わない。内カバーは、購入者が、陳列されているスーツの状態、例えば色又は生地の種類などを外側から目で容易に確認することが出来るように、その少なくとも表側の一部が、透明又は半透明な材料からなっている。例えば、内カバーは、そのすべてが透明ポリエチレンから作られていても良いし、或いは、通気性を高めるために裏面を不織布又は布帛から作ったものとし、そして表面を透明の材質から作ったものとすることもできる。そして内カバーは、その一端側においてスーツを吊ったハンガーのフック部を通すことができる開口部を有する。開口部は、内カバー内部への埃又は塵などの侵入を防止する為に、例えば切り込みスリット、或いは二枚のフィルムが部分的に重なり合った構造をとることができる。また内カバーからスーツを出し入れするために、取出し口部が備えられている。取出し口部は一般的に、内カバーの表面が左右に二つに分かれた構造となっている。そしてこの取出し口部に沿って、ファスナ、面ファスナー又はスナップ釦などの閉じ手段が備えられて開閉できる構造となっている。閉じ手段は金属製であっても良いが、ポリエチレン又はポリプロピレン等の合成樹脂製が好ましい。
【０００７】
外カバーは、内カバーを包み覆うという点から、スーツ収納状態の内カバーよりも全体的にやや大きめとなるような構成、具体的には、外カバーは、その上にスーツ収納状態の内カバーを重ねたとき、その外周縁よりも内側にスーツ収納状態の内カバーを実質収容し得る大きさとなっている。そして外カバーは、内カバーに収納されたスーツを覆うべく、一般に、不織布又は布帛などの不透明又は半透明の材料からなる。外カバーはまた、その一端側において、内カバーの一端側と同様にハンガーのフック部を通すことができる開口部を有する。さらにまた外カバーは、スーツ収納状態の内カバーとともに二つ折りにしてスーツを携行する形態としたとき、その形態を保持するための固定手段を備える。
固定手段としては例えば、外カバーの他端側に形成された、ハンガーのフック部を通すことができる第２の開口部を挙げることができる。スーツ収納状態の内カバーを外カバー
の上に重ね、その外カバーを二つ折りにしハンガーのフック部を外カバーの開口部と第２の開口部とに一緒に通すことによって、二つ折りの形態が保持される。二つ折りの形態をより安定に保持する場合には、外カバーの一端側又は他端側において、部分的に二枚重ねとなる構造のカバーが取り付けられた構成とすることもできる。
別の固定手段としては、外カバーの一端側端部と他端側端部とを接続可能なスナップ釦付ベルトを挙げることができる。これは例えば、ベルトの一端部を外カバーの一端側端部に縫着し、ベルトの他端部にはスナップ釦の雄部を取り付け、外カバーの対応する他端側端部にはスナップ釦の雌部を取り付けた態様を挙げることができる。スナップ釦の代わりに、例えば面ファスナー、ボタンとボタン孔、ホック、ジッパーなどが取り付けられていてもよい。またベルトは、ハンガーのフック部を通すことができる開口部がさらに形成された態様であってもよい。また、外カバーは、その外周縁に沿ってファスナなどの閉じ手段が取り付けられていても良く、二つ折りにした外カバーの重なり合う外周縁同士を閉じることによって、携行中に内カバーが外カバーからはみ出ることを防止できる。
【０００８】
本発明のスーツ袋セットの使用法を説明すると、まず、スーツをハンガーに吊り、そして、これを取出し口部より内カバー内に収納すると共に、ハンガーのフック部を内カバーの開口部に内側から外側へと通し、さらに取出し口部を閉じ手段により閉じてスーツ収納状態とする。この後、スーツ収納状態のまま商品売場に陳列することも又は家の洋服タンスに収めることもできる。そして、スーツ購入後などにおいて携行するときには、外カバーの上に、スーツ収納状態の内カバーを重ね、ハンガーのフック部を外カバーの開口部に通す。そしてこの外カバーを、スーツ収納状態の内カバーとともに二つ折りにし、さらに固定手段により二つ折りの形態を保持する。而して、二つ折りの状態で保持されたスーツはこの際、外カバーで保護されているので、その内側のうちカバーは（ましてや、その中に収納されたスーツも）汚れにくくなる。
【実施例】
【０００９】
本発明を実施例を挙げて具体的に説明する。以下の実施例はいかなる場合も本発明を限定するものと解釈してはならない。
【００１０】
実施例１：本実施例においては、閉じ手段としてスナップ釦を取り付けた構成の内カバーと、固定手段としてスナップ釦付ベルトを取り付けた構成の外カバーとからなる本発明の一の態様のスーツ袋セットを挙げる。
（内カバー１）
内カバー１は、透明ポリエチレンからなるシートから、スーツをハンガーに吊るされた状態で包み覆い得る大きさの、周縁の一部が開いた構造の袋状物２（長手方向およそ１３０ｃｍ；幅方向およそ６５ｃｍ）からなる（図１）。この袋状物２の表面には、長手方向にスーツの出し入れのための取出し口部３（閉じ手段：スナップ釦３’）を予め形成し、及び、袋状物２の一端側４においては、その中央においてハンガーのフック部を通すことができる開口部５を、切り込みスリットを入れることにより形成してなる。
（外カバー６）
外カバー６は、ポリプロピレン（ＰＰ）不織布からなるシートから、１枚の縦長の長方形のシート状物７からなる（図２）。このシート状物７は、スーツ収納状態の上記内カバー１を重ねたときにその外周縁８より内側に実質収容し得る大きさ（長手方向およそ１３０ｃｍ；幅方向およそ７０ｃｍ）となっている。そして、このシート状物７の一端側端部９において、ＰＰ製の不織布からなる半円形のベルト１０を縫着し、このベルト１０に切り込みスリットを入れて、ハンガーのフック部を通すことのできる開口部１１を形成した。さらに、ベルト１０にはスナップ釦の雄部１２ａを取り付け、そして、外カバー６の他端側端部１３においてスナップ釦の雌部１２ｂを取り付けた。また、外カバー６には、その幅方向に、ＰＰ製の不織布からなるずれ防止バンド１４（幅：およそ５ｃｍ）を、該バンドの両端部を外カバー７の外周縁８，８にそれぞれ縫合して取り付け、且つ、外カバー
６の外周縁８に沿ってポリプロピレン製のファスナ１５，１５を取り付けてなる。
（スーツの収納）
図３に示すように、スーツ１６をハンガー１７に吊るし、そして内カバー１の袋状物２内に収納すると共に、ハンガー１７のフック部１８を開口部５に通した。そしてスナップ釦３’を閉じて、スーツ収納状態の内カバー１とした。次に、図４に示すように、ハンガー１７のフック部１８を外カバー６の切り込みスリットの開口部１１に通し、そして外カバー６の上にスーツ収納状態の内カバー１を重ねた。このとき、スーツ収納状態の内カバー１は、外カバー６とずれ防止バンド１４との間に通し入れた。次に、外カバー６をそのほぼ中央部を折り目（図中、Ｘ−Ｘ線）としてスーツ収納状態の内カバー１と共に二つ折りにし、その後ファスナ１５，１５により外周縁８同士を閉じ（図５をも参照のこと。）、さらにベルト１０のスナップ釦の雄部１２ａをスナップ釦の雌部１２ｂと嵌め合わせて、二つ折り形態を保持した。そして、かかる形態とした本実施例のスーツ袋セット１９は、ハンガー１７のフック部１８を把持しながら携行することができる。
【００１１】
実施例２：本実施例においては、閉じ手段としてファスナを取り付けた内カバーと、固定手段として第２開口部を取り付けた構成の外カバーとからなる本発明の別の態様のスーツ袋セットを挙げる。
（内カバー２０）
本実施例の内カバーは、図６に示すように、取出し口部２１の閉じ手段として、スナップ釦３’の代わりにファスナ２１’を取り付けた他は、実施例１の内カバー１と同様の構成からなる。
（外カバー２２）
外カバー２２は、ＰＰ不織布からなるシートから、１枚の縦長の小判形のシート状物２３からなる（図７）。このシート状物２３は、スーツ収納状態の上記内カバー２０を重ねたときにその外周縁２４より内側に実質収容し得る大きさ（長手方向およそ１３０ｃｍ；幅方向およそ７０ｃｍ）となっている。そして、このシート状物２３の一端側２５においては、切り込みスリットを入れてハンガーのフック部を通すことのできる開口部２６を形成し、及び、シート状物２３の他端側２７には、固定手段として切り込みスリットを入れて第２開口部２８を形成した。さらに他端側２７には、シート状物２３と部分的に二枚重ねとなる半円形のカバー２９を、その円弧状の周縁をシート状物２３に縫着して取り付けてなる。
（スーツの収納）
スナップ釦３’の代わりにファスナ２１’を閉じる他は、実施例１と同様の手順にてスーツ１６を内カバー２０に収納して、スーツ収納状態の内カバー２０とした。（図８を参照のこと。）。次に、図９に示すように、ハンガー１７のフック部１８を外カバー２２の切り込みスリットの開口部２６に通し、そして外カバー２２の上にスーツ収納状態の内カバー２０を重ねた。そしてそのほぼ中央を折り目（図中、Ｘ’−Ｘ’線）として外カバー２２をスーツ収納状態の内カバー２０と共に二つ折りにすると共に、ハンガー１７のフック部１８を外カバー２２とカバー２９との間に挿入し、さらに切り込みスリットの第２開口部２８から外に出して二つ折り形態を保持した（図１０をも参照のこと。）。そして、かかる形態とした本実施例のスーツ袋セット３０は、ハンガー１７のフック部１８を把持して携行することができる。
【図面の簡単な説明】
【００１２】
【図１】実施例１の内カバー１を示す模式図である。
【図２】実施例１の外カバー６を示す模式図である。
【図３】スーツ収納状態の内カバー１を示す模式図である。
【図４】外カバー６の上に重ねられたスーツ収納状態の内カバー１を示す模式図である。
【図５】外カバー６をその上に重ねられたスーツ収納状態の内カバー１とともに二つ折りにし、さらに固定手段によって二つ折り形態を保持した形態を示す模式図である。
【図６】実施例２の内カバー２０を示す模式図である。
【図７】実施例２の外カバー２２を示す模式図である。
【図８】スーツ収納状態の内カバー２０を示す模式図である。
【図９】外カバー２２の上に重ねられたスーツ収納状態の内カバー２０を示す模式図である。
【図１０】外カバー２２をその上に重ねられたスーツ収納状態の内カバー２０とともに二つ折りにし、さらに固定手段によって二つ折り形態を保持した形態を示す模式図である。
【図１１】従来のスーツ収納袋を示す模式図である。
【符号の説明】
【００１３】
１、２０  内カバー    ２  袋状物    ３、２１  取出し口部    ３’  スナップ釦  
４、２５  一端側    ５、１１、２６  開口部    ６、２２  外カバー    ７、２３  シート状物    ８、２４  外周縁    ９  一端側端部    １０  ベルト    １２ａ  スナップ釦の雄部    １２ｂ  スナップ釦の雌部    １３  他端側端部    １４  ずれ防止バンド    １５、２１’  ファスナ    １６  スーツ    １７  ハンガー    １８  フック部    １９、３０  スーツ袋セット    ２７  他端側    ２８  第２開口部    ２９  半円形のカバー    ３１ａ、３１ｂ  樹脂製本体生地    ３２  縫い糸    ３３  フック部挿通口    ３４  覆いカバー
【図１】
0005293913.tif 000002
【図２】
0005293913.tif 000003
【図３】
0005293913.tif 000004
【図４】
0005293913.tif 000005
【図５】
0005293913.tif 000006
【図６】
0005293913.tif 000007
【図７】
0005293913.tif 000008
【図８】
0005293913.tif 000009
【図９】
0005293913.tif 000010
【図１０】
0005293913.tif 000011
【図１１】
0005293913.tif 000012